(57)【特許請求の範囲】
【請求項１】
容器の首部に支持される首掛け表示具であって、
前記首部に沿って上下に延びる筒状の支持部と、
該支持部の外周側に配置されて所定の表示を行う表示部と、
を備え、
シート状に形成されたラベル基材の長手方向における両端部のうち、一方に、前記ラベル基材の幅方向において、一方の外縁から延びる第１切り込みが設けられ、他方に、前記ラベル基材の幅方向において、他方の外縁から延びる第２切り込みが設けられ、
前記ラベル基材は、略長方形状の帯部と、該帯部の長手方向における両端のそれぞれに該帯部と一体に形成された一対の分割表示部とからなり、
前記第１切り込み及び前記第２切り込みはそれぞれ、前記一対の分割表示部のそれぞれと前記帯部との境界上に設けられており、
前記支持部は、前記ラベル基材のうち、前記第１切り込み及び前記第２切り込み同士を嵌め合わせて筒状にした部分からなり、
前記表示部は、前記第１切り込み及び前記第２切り込み同士を嵌め合わせることで、前記支持部の外周側にＶ字状をなすように飛び出して配置される前記一対の分割表示部からなり、
当該首掛け表示具の組み立て前の状態における前記ラベル基材の平面視において、前記一対の分割表示部の一方は、前記ラベル基材の幅方向において前記帯部からはみ出した部分と、前記はみ出した部分から前記一対の分割表示部の他方に向かって延びる延設部とを含むことを特徴とする首掛け表示具。
【請求項２】
当該首掛け表示具の組み立て前の状態における前記ラベル基材の平面視において、前記第１切り込みは、前記ラベル基材の幅方向の一対の外縁のうち、前記ラベル基材の幅方向において前記帯部を挟んで前記延設部の反対側の外縁から延びるものであることを特徴とする請求項１記載の首掛け表示具。
【発明の詳細な説明】
【技術分野】
【０００１】
本発明は、容器の首部に支持される首掛け表示具に関する。
【背景技術】
【０００２】
従来、瓶等の容器に充填される清涼飲料や酒類等の商品に対して、広告宣伝や品質表示を行うための首掛け表示具が知られている。
【０００３】
具体的には、下記特許文献１に見られるように、基材となる紙製の表示板の一部に瓶への挿入孔を形成し、その挿入孔の内縁に沿って一連の歯型を造形した瓶掛け表示板が知られている。
【０００４】
また、下記特許文献２に見られるように、基材となるシート状物にコの字形状又は湾曲形状の切り込みを入れるとともに、切り込みの両端を結ぶ折り目を形成した首掛けラベルも知られている。
【０００５】
しかしながら、上記瓶掛け表示板や首掛けラベルは、瓶に支持するための構成として、平面的なシート状の基材に孔を形成したものを採用しているため、瓶掛け表示板や首掛けラベルを瓶に安定して支持することができないおそれがある。
【０００６】
こうした問題を解決すべく、下記特許文献３に見られるような瓶用表示具を採用することも考えられる。詳しくは、側板、表示板、蓋板、及び係止片が一体に形成された基材を複数回折り曲げることで、断面逆三角形状箱体の収納部を有する瓶用表示具が組み立てられる。
【０００７】
また、下記特許文献４に見られるような宣伝広告具を採用することも考えられる。詳しくは、天板と、その前後端にそれぞれ折線を介して連設された表板及び背板と、表板下端に折線を介して連設されて且つ背板に糊付片を介して連設された瓶首嵌入板と、表板の両側端からそれぞれ折線を介して連設され相互に係合できるようにした１対の抱込板とからなる基材を、上記瓶用表示具と同様に複数回折り曲げることで、広告宣伝具が組み立てられる。
【先行技術文献】
【特許文献】
【０００８】
【特許文献１】実用新案登録第３０２７４４６号公報
【特許文献２】特開２００１−１６６６９１号公報
【特許文献３】実用新案登録第２５７４７６９号公報
【特許文献４】特開２０００−９８８９５号公報
【発明の概要】
【発明が解決しようとする課題】
【０００９】
しかしながら、上記特許文献３，４に記載された首掛け表示具では、容器の首部に対して表示具を安定して支持することはできるものの、構成が複雑であるため、表示具の組み立てに要する作業負荷が大きい。
【００１０】
特に、店頭の陳列商品に首掛け表示具を取り付ける場合、商品の売れ行きが良く、首掛け表示具を頻繁に取り付けなければならなかったり、陳列商品の数が多かったりする状況においては、首掛け表示具の組み立てに要する作業負荷が過大となることが懸念される。このように、首掛け表示具は、未だ改善の余地を残すものとなっている。
【００１１】
本発明は、上記課題を解決するためになされたものであり、その目的は、簡易な構成で容器の首部に安定して支持することのできる首掛け表示具を提供することにある。
【課題を解決するための手段】
【００１２】
上記課題を解決すべく、第１の発明の首掛け表示具は、容器の首部に支持される首掛け表示具であって、前記首部に沿って上下に延びる筒状の支持部と、該支持部の外周側に配置されて所定の表示を行う表示部とを備えることを特徴とする。
【００１３】
本発明によれば、容器の首部に沿って上下に延びる筒状の支持部を備えることで、例えば平面的なシート状の基材に孔が形成された部材によって首部に支持する場合と比較して、首掛け表示具が過度に傾斜した状態で首部に支持されることを回避することができる。すなわち、筒状をした簡易な構成の支持部によって、首掛け表示具を首部に安定して支持することができる。
【００１４】
第２の発明の首掛け表示具は、シート状に形成されたラベル基材の長手方向における両端部のうち、一方に、前記ラベル基材の幅方向において、一方の外縁から延びる第１切り込みが設けられ、他方に、前記ラベル基材の幅方向において、他方の外縁から延びる第２切り込みが設けられ、前記支持部は、前記ラベル基材のうち、前記第１切り込み及び前記第２切り込み同士を嵌め合わせて筒状にした部分からなることを特徴とする。
【００１５】
本発明では、ラベル基材に上記態様にて第１切り込み及び第２切り込みが設けられている。そして、これら切り込み同士を嵌め合わせると、ラベル基材のうち筒状にした部分からなる支持部が形成される。より具体的には、首掛け表示具の平面視において、ラベル基材の長手方向における両端部付近であって且つラベル基材が直線的に交差する直線部と、ラベル基材の長手方向において上記直線部から中央側に向かうに従って曲率が大きくなるように湾曲する湾曲部とからなる支持部が形成される。
【００１６】
こうした構成において、支持部に容器の首部が挿入される際、湾曲部の内径が容器の首部によって押し広げられる。このため、湾曲部が元の状態に戻ろうとして、湾曲部によって容器の首部が締め付けられる。これにより、首掛け表示具を容器の首部にいっそう安定させて支持することができる。
【００１７】
また、首掛け表示部の組み立て作業が、ラベル基材に設けられた第１切り込み及び第２切り込み同士を嵌め合わせるだけの作業となる。このため、首掛け表示具の組み立てに要する作業負荷を低減させることができる。
【００１８】
さらに、首掛け表示具を運搬したり保管したりする場合、首掛け表示具をシート状の平坦な部材として取り扱うことができるため、運搬時等において首掛け表示具が嵩張ることを回避することができる。
【００１９】
第３の発明の首掛け表示具は、前記ラベル基材は、略長方形状の帯部と、該帯部の長手方向における両端のそれぞれに該帯部と一体に形成された一対の分割表示部とからなり、前記第１切り込み及び前記第２切り込みはそれぞれ、前記一対の分割表示部のそれぞれと前記帯部との境界上に設けられていることを特徴とする。
【００２０】
本発明では、一対の分割表示部のそれぞれと帯部との境界上に、第１切り込み及び第２切り込みをそれぞれ設けている。そして、これら第１切り込み及び第２切り込み同士を嵌め合わせると、ラベル基材のうち筒状にした部分からなる支持部が形成される。より具体的には、首掛け表示具の平面視において、帯部の長手方向における両端部付近であって且つ帯部が直線的に交差する直線部と、帯部の長手方向において直線部から中央側に向かうに従って曲率が大きくなるように湾曲する湾曲部とからなる支持部が形成される。
【００２１】
また、第１切り込み及び第２切り込み同士を嵌め合わせることで、上記表示部は、首掛け表示具の平面視において、一対の分割表示部が支持部の外周側にＶ字状をなすように飛び出して配置される。
【００２２】
こうした構成によれば、直線部によって表示部を容器の中心軸線から容器の外周側に向かって離間させることと、首掛け表示具の平面視において、一対の分割表示部が支持部の外周側にＶ字状をなすように飛び出して配置されることとが相俟って、表示部に立体感を好適に持たせることができる。これにより、商品の広告宣伝効果を向上させることができ、ひいては首掛け表示具によって他の商品との差別化を好適に図ることができる。
【図面の簡単な説明】
【００２３】
【図１】組み立て前の首掛け表示具を示す平面図。
【図２】組み立て後の首掛け表示具を示す斜視図。
【図３】首掛け表示具を容器の首部に支持した状態を示す側面図及び平面図。
【図４】別例における組み立て前の首掛け表示具を示す平面図。
【図５】別例における組み立て前後の首掛け表示具を示す平面図。
【図６】別例における組み立て前後の首掛け表示具を示す平面図。
【図７】別例における組み立て後の首掛け表示具を示す平面図。
【発明を実施するための形態】
【００２４】
以下、本発明を具体化した一実施形態を図面に従って説明する。本実施形態では、首部を有する飲料用の容器に適用される宣伝広告用の首掛け表示具について具体化している。なお、図１は、組み立て前の首掛け表示具を示す平面図、図２は、組み立て後の首掛け表示具を示す斜視図、図３（ａ），（ｂ）は、首掛け表示具を容器の首部に支持した状態を示す側面図、平面図である。但し、図３（ｂ）では、説明の便宜上、厚み寸法を実際の厚み寸法よりも大きく表示している。
【００２５】
図１に示すように、首掛け表示具は、シート状に形成された可撓性を有するラベル基材１０よりなるものである。好ましくは、ラベル基材１０は、弾性を有する（復元性を有する）ものである。なお、ラベル基材１０の材質としては、例えば、上質紙やコート紙等の紙素材や、ユポ（登録商標）等の合成紙、ポリプロピレン（ＰＰ）やポリエチレンテレフタレート（ＰＥＴ）等の合成樹脂が挙げられる。また、本実施形態において、ラベル基材１０の厚みとして、具体的には例えば０．１ｍｍ〜１ｍｍ程度のものを想定している。
【００２６】
ラベル基材１０は、帯部１１と、一対の分割表示部である第１分割表示部１２ａ及び第２分割表示部１２ｂとが一体に形成されてなる部材である。詳しくは、帯部１１は、ラベル基材１０の長手方向に延びる長方形状をなし、後述する支持部を形成するものである。なお、帯部１１の長手方向の長さは、例えば適用対象となる容器の首部の形状に応じて決定すればよい。
【００２７】
上記第１分割表示部１２ａ及び第２分割表示部１２ｂのそれぞれは、帯部１１の長手方向における両端（帯部１１の両短辺）のそれぞれにこの帯部１１と一体に形成されており、広告宣伝用の所定の表示を行うためのものである。また、第１分割表示部１２ａ及び第２分割表示部１２ｂのそれぞれは、ラベル基材１０の幅方向における長さが帯部１１の幅より長いものである。
【００２８】
より具体的には、第１分割表示部１２ａは、ラベル基材１０の長手方向において、帯部１１の長手方向の端辺（右短辺）を通る仮想線（図中、二点鎖線）から帯部１１の外側に向かって延びるように形成される部分と、帯部１１の幅方向の一方の外縁（長辺）から外側（上側）において、上記仮想線から帯部１１の長手方向中央側に延びるように形成される部分（延設部１２ｃ）とからなる。
【００２９】
また、第２分割表示部１２ｂは、ラベル基材１０の長手方向において、帯部１１の長手方向の端辺（左短辺）を通る仮想線（図中、二点鎖線）から帯部１１の外側に向かって延びるように形成されている。
【００３０】
なお、本実施形態では、第１分割表示部１２ａ及び第２分割表示部１２ｂのそれぞれは、所定の形状（クリスマスツリーの形状）をラベル基材１０の長手方向に２分割したもののそれぞれとされている。
【００３１】
ラベル基材１０の長手方向における両端部のうち、一方（右側）には、ラベル基材１０の幅方向において、一方の外縁（下端）から延びる線状の第１切り込み１３ａが設けられている。また、他方（左側）には、ラベル基材１０の幅方向において、他方の外縁（第１切り込み１３ａが設けられた外縁とは反対側の外縁：上端）から延びる第２切り込み１３ｂが設けられている。
【００３２】
具体的には、第１切り込み１３ａは、帯部１１と第１分割表示部１２ａとの境界（帯部１１の右短辺を通る上記仮想線）上に、帯部１１の幅方向における下端から中央に達するように設けられている。また、第２切り込み１３ｂは、帯部１１と第２分割表示部１２ｂとの境界（帯部１１の左短辺を通る上記仮想線）上に、帯部１１の幅方向における上端から中央に達するように設けられている。つまり、帯部１１の幅方向において、第１切り込み１３ａの長さと第２切り込み１３ｂの長さとを合わせたものが帯部１１の幅（短辺の長さ）となっている。これは、第１切り込み１３ａ及び第２切り込み１３ｂ同士を嵌め合わせて首掛け表示具を組み立てた場合、帯部１１の両端が幅方向にずれることで、首掛け表示具の見栄えが悪くなることを回避するためである。
【００３３】
なお、本実施形態では、第１切り込み１３ａが、ラベル基材１０の幅方向において、帯部１１を挟んで延設部１２ｃの反対側に設けられている。これは、首掛け表示具を組み立てる際に、第１分割表示部１２ａの延設部１２ｃと第２分割表示部１２ｂとの干渉を回避するためである。これにより、第１切り込み１３ａ及び第２切り込み１３ｂ同士を嵌め合わせやすくすることができ、首掛け表示具を組み立てやすくすることができる。
【００３４】
次に、本実施形態にかかる首掛け表示具の組み立てについて説明する。
【００３５】
本実施形態では、ラベル基材１０の両端部に設けられた第１切り込み１３ａ及び第２切り込み１３ｂ同士を嵌め合わせることで、図２に示すように、首掛け表示具１４が組み立てられる。ここで、第１切り込み１３ａ及び第２切り込み１３ｂ同士の嵌め合いによって、ラベル基材１０のうち帯部１１が上下に延びる筒状の支持部１５となる。
【００３６】
また、第１切り込み１３ａ及び第２切り込み１３ｂ同士を嵌め合わせることで、第１分割表示部１２ａ及び第２分割表示部１２ｂによってクリスマスツリーを表示する表示部（以下、３Ｄポップ表示部１２）が形成される。
【００３７】
続いて、図３を用いて、首掛け表示具１４を容器の首部に支持する構成について説明する。
【００３８】
まず、容器の形状について説明する。図３（ａ）に示すように、容器１６は、首部１６ａと、首部１６ａよりも外径の大きい胴部１６ｂとを有している。詳しくは、首部１６ａから胴部１６ｂにかけて容器１６の横断面積が徐々に大きくなっている。このような容器１６の首部１６ａに首掛け表示具１４の筒状の支持部１５を挿入することで、上下に筒状に延びる支持部１５によって首掛け表示具が首部１６ａに沿って支持される。
【００３９】
ここで、図３（ｂ）を用いて支持部１５の構成についてより詳しく説明する。
【００４０】
支持部１５は、首掛け表示具１４の平面視において、帯部１１の長手方向における両端部付近であって且つ帯部１１が直線的に交差する直線部１５ａと、帯部１１の長手方向において、直線部１５ａから中央側に向かうに従って曲率が大きくなるように湾曲する湾曲部１５ｂとからなる。なお、支持部１５を容器の首部１６ａに挿入する前は、支持部１５の内径が容器の首部１６ａの外径よりも小さくなるように支持部１５が形成されている。
【００４１】
こうした構成において、容器の首部１６ａに支持部１５が挿入されると、湾曲部１５ｂが押し広げられる。このため、ラベル基材１０の有する復元性によって湾曲部１５ｂが元の状態に戻ろうとして、湾曲部１５ｂによって容器の首部１６ａが締め付けられる。これにより、首掛け表示具１４を安定して支持することができる。
【００４２】
ここで、同図に示すように、支持部１５が直線部１５ａを有するため、支持部１５のうちラベル基材１０が交差する部分を、容器１６の中心軸線から距離Ａだけ容器１６の外周側に向かって離間させることができる。すなわち、ラベル基材１０が交差する部分に隣接した３Ｄポップ表示部１２を、容器１６の中心軸線から容器１６の外周側に向かって距離Ａだけ離間させることができる。これにより、３Ｄポップ表示部１２に立体感を持たせることができる。
【００４３】
さらに、これと合わせて、同図に示すように、第１分割表示部１２ａ及び第２分割表示部１２ｂ同士が、支持部１５の外周側にＶ字状をなすように（所定の角度Ｂをなして）飛び出して配置されることで、３Ｄポップ表示部１２にいっそう立体感を持たせることができる。
【００４４】
なお、首掛け表示具１４の平面視において、３Ｄポップ表示部１２が容器１６の外形からはみ出さないようになっている。これにより、首掛け表示具１４が取り付けられた商品が陳列された場合に、首掛け表示具１４が互いに隣り合う商品と干渉することを回避できる。
【００４５】
以上、詳述した本実施形態の構成によれば、以下の優れた効果が得られる。
【００４６】
ラベル基材１０の長手方向における両端部のうち、一方に、ラベル基材１０の幅方向において下端から延びる線状の第１切り込み１３ａを設け、他方に、ラベル基材１０の幅方向において上端から延びる第２切り込み１３ｂを設けた。より具体的には、帯部１１と第１分割表示部１２ａとの境界（帯部１１の右短辺を通る上記仮想線、先の図１参照）上に、帯部１１の幅方向における下端から中央に達するように第１切り込み１３ａを設け、帯部１１と第２分割表示部１２ｂとの境界（帯部１１の左短辺を通る上記仮想線、先の図１参照）上に、帯部１１の幅方向における上端から中央に達するように第２切り込み１３ｂを設けた。
【００４７】
こうした構成において、ラベル基材１０の第１切り込み１３ａ及び第２切り込み１３ｂ同士を嵌め合わせると、直線部１５ａ及び湾曲部１５ｂからなって且つ上下に延びる筒状の支持部１５が形成される。この支持部１５によれば、簡易な構成によって首掛け表示具１４が容器の首部１６ａに安定して支持可能となる。したがって、例えば３Ｄポップ表示部１２が重かったり、首掛け表示具１４に販売促進用の景品が固定されたりする場合であっても、首掛け表示具１４が過度に傾斜した状態で支持されることを回避できる。
【００４８】
また、首掛け表示具１４の運搬時や保管時において、首掛け表示具１４をシート状の平坦なラベル基材１０として取り扱うことができるため、運搬時等において首掛け表示具１４が嵩張ることを回避することができる。したがって、単位容積あたりに運搬可能な首掛け表示具１４の数を増やすことができ、運搬効率を向上させることができる。
【００４９】
さらに、第１切り込み１３ａ及び第２切り込み１３ｂ同士の嵌め合いによって、首掛け表示具１４の平面視において、これら分割表示部１２ａ，１２ｂ同士が支持部１５の外周側にＶ字状をなすように飛び出して配置される構成とした。こうした構成と合わせて、支持部１５の直線部１５ａによって３Ｄポップ表示部１２を容器１６の中心軸線から離間させる構成を採用することで、３Ｄポップ表示部１２にいっそう立体感を持たせることができる。これにより、商品の視認性を高めたり、商品をアピールしたりする等、商品の広告宣伝効果をいっそう向上させることができる。したがって、首掛け表示具１４によって他の商品との差別化を好適に図ることができる。
【００５０】
なお、帯部１１の長手方向における両端辺を通る仮想線上のそれぞれに第１切り込み１３ａ及び第２切り込み１３ｂのそれぞれを設けることで、首掛け表示具１４を組み立てた場合に第１分割表示部１２ａ及び第２分割表示部１２ｂ同士が隙間なく隣接するようにした。これにより、３Ｄポップ表示部１２の見栄えをよくすることができる。
【００５１】
また、第１分割表示部１２ａが延設部１２ｃを有する構成とした。このため、３Ｄポップ表示部１２に更なる立体感を持たせることができる。しかも、第１分割表示部１２ａのうち第１切り込み１３ａを通る仮想線上付近の部分によって第２分割表示部１２ｂを支持することができるため、第１分割表示部１２ａ及び第２分割表示部１２ｂ同士をずれにくくすることもできる。
【００５２】
本発明は上記実施形態に限らず、例えば次のように実施されてもよい。
【００５３】
（１）第１分割表示部１２ａ及び第２分割表示部１２ｂの形状としては、上記実施形態に例示した形状に限らない。例えば、図４（ａ）に示すように、第１分割表示部１２ａ及び第２分割表示部１２ｂのそれぞれが、ラベル基材１０の幅方向と平行な軸線に対して対称な形状であってもよい。なお、図に示す例では、ラベル基材１０の長手方向において、帯部１１の長手方向両端を通る仮想線よりも帯部１１の外側に向かって延びるように第１分割表示部１２ａ及び第２分割表示部１２ｂのそれぞれが形成されている。すなわち、分割表示部に延設部が形成されていない。この場合、延設部１２ｃと第２分割表示部１２ｂとの干渉が問題とならないことから、第１切り込み１３ａ及び第２切り込み１３ｂを設ける位置の自由度が大きくなる。
【００５４】
（２）切り込みを設ける位置としては、一対の分割表示部１２ａ，１２ｂのそれぞれと帯部１１との境界上に限らない。例えば、図４（ｂ）に示すように、帯部１１と一対の分割表示部１２ａ，１２ｂとの境界（帯部１１の短辺を通る仮想線）上から帯部１１の長手方向中央側にずれた位置に、第１切り込み１７ａや第２切り込み１７ｂを設けてもよい。
【００５５】
なお、この場合、帯部１１のうち、帯部１１の長手方向において、第１切り込み１７ａ，第２切り込み１７ｂよりも第１分割表示部１２ａ，第２分割表示部１２ｂ側を３Ｄポップ表示部の一部として使用することができる。
【００５６】
（３）上記実施形態では、広告宣伝表示用の表示部を分割する構成を採用したが、分割しない構成を採用してもよい。具体的には例えば、図５（ａ）に示すように、長方形状のラベル基材２０の中央において、ラベル基材２０の幅方向の外縁間を結ぶ一対の折り目線２１（図中二点鎖線）を形成し、ラベル基材２０のうち、これら一対の折り目線２１で挟まれた領域を平面部２２とする。そして、ラベル基材２０の長手方向における両端部のうち、一方に、ラベル基材２０の幅方向において、一方の外縁から中央に達する第１切り込み２３ａを設け、他方に、ラベル基材２０の幅方向において、第１切り込み２３ａが設けられた外縁とは反対側の外縁から中央に達する第２切り込み２３ｂを設ける。そして、平面部２２には、所定の広告宣伝表示を行うための表示部材２４を、固定手段を介して固定する。ここで固定手段としては例えば、接着剤や、接着テープ、ステープラの針（ステープル）が挙げられる。
【００５７】
こうした構成において、図５（ｂ）に示すように、ラベル基材２０を折り目線２１で折り曲げた後、第１切り込み２３ａ及び第２切り込み２３ｂ同士を嵌め合わせると、首掛け表示具１４が組み立てられる。詳しくは、ラベル基材２０のうち、第１切り込み２３ａ及び第２切り込み２３ｂ同士を嵌め合わせて筒状にした部分が支持部２５となる。そして、容器の首部１６ａに支持部２５が挿入されると、支持部２５が押し広げられる。このため、支持部２５が元の状態に戻ろうとして、支持部２５によって容器の首部１６ａが締め付けられ、首掛け表示具が容器の首部１６ａに安定して支持される。
【００５８】
ここで、支持部２５が上記直線部１５ａを有さないことから、容器１６の中心軸線から表示部材２４を大きく離間させることができないものの、平面部２２が容器１６の側面に略平行な面となる。このため、この面に固定される表示部材２４によって陳列商品に取り付けられた首掛け表示具１４の視認性を向上させることができ、陳列商品の広告宣伝効果を向上させることはできる。
【００５９】
ちなみに、先の図５（ａ）において二点鎖線部（α，β）にて示すように、ラベル基材２０の長手方向両端部のそれぞれにおいて、同方向に沿って所定間隔で第１切り込み２３ａ及び第２切り込み２３ｂのそれぞれを複数（図中、３つを例示）設けてもよい。こうした構成によれば、支持部２５の長さを調節することができるため、首部１６ａの形状が相違する容器１６に対して、１つの首掛け表示具１４で対応することができる。なお、複数の切り込みを、ラベル基材２０の長手方向両端部のうちいずれか一方のみに設けてもよい。
【００６０】
また、上記表示部材２４に代えて、平面部２２を所定の広告宣伝表示を行うための表示部として用いてもよい。
【００６１】
更に、図６（ａ）に示すように、平面部２２をラベル基材２０の長手方向における中央から端側にずらした位置としてもよい。この場合であっても、図６（ｂ）に示すように、容器の首部１６ａに支持部２５が挿入されると、支持部２５によって首部１６ａが締め付けられることで、首掛け表示具が容器の首部１６ａに安定して支持される。
【００６２】
（４）上記実施形態では、運搬時等において首掛け表示具１４が嵩張ることを回避すべく、首掛け表示具１４を組み立て式のものとしたがこれに限らない。例えば、図７（ａ）に示すように、容器の首部１６ａに沿って上下に延びる筒状の支持部材２６と、この支持部材２６の外周側に上記固定手段によって固定され、所定の広告宣伝表示を行う表示部材２７とからなる首掛け表示具１４であってもよい。
【００６３】
ここで、表示部材２７としては、例えば平面形状や立体形状のものを採用することができる。
【００６４】
また、支持部材２６としては、例えば、帯状（長方形状）のシート材の長手方向の両端部同士を、固定手段によって固定して上下に伸びる筒形状にしたものを採用してもよい。この場合、首掛け表示具１４を安定して支持することはできる。
【００６５】
さらに、支持部材２６としては例えば、図７（ｂ）に示すように、首掛け表示具１４の平面視において、シート材の長手方向における両端部付近であって且つシート材が直線的に交差する直線部２６ａと、シート材の長手方向において直線部２６ａから中央側に向かうに従って曲率が大きくなるように湾曲する湾曲部２６ｂとが形成されるものを採用してもよい。ここで表示部材２７を、支持部材２６のうちシート材の交差部分に固定手段によって固定すればよい。この場合、直線部２６ａによって表示部材２７を容器１６の中心軸線から離間させることができるため、表示部材２７に立体感を持たせることはできる。
【００６６】
（５）上記実施形態において、切り込みとしては線状のものに限らず、例えば三角形状のものであってもよい。
【００６７】
（６）帯部１１の幅方向における切り込みの長さとしては、上記実施形態に例示したものに限らない。例えば、切り込みの長さを、帯部１１の幅方向において、外縁から中央に達しない長さとしたり、外延から中央を超える長さとしたりしてもよい。なお、この場合、第１切り込み１３ａの長さと第２切り込み１３ｂの長さとの加算値を帯部１１の幅（短辺の長さ）よりも長くしたり、短くしたりしてもよい。
【００６８】
（７）上記実施形態では、延設部１２ｃを第１分割表示部１２ａのみに形成したがこれに限らない。第１分割表示部１２ａに加えて、第２分割表示部１２ｂに形成してもよい。具体的には、ラベル基材１０の幅方向において、帯部１１を挟んで第２切り込み１３ｂの反対側に延設部を形成すればよい。この場合、双方の延設部によって、第１分割表示部１２ａ及び第２分割表示部１２ｂのうち一方を他方によって支持することができ、これら分割表示部のずれを好適に回避することができる。
【００６９】
（８）上記実施形態では、首部を有する飲料用の容器に首掛け表示具１４を適用したがこれに限らない。例えば、首部を有する容器ならば、その他の飲食用（調味料用）の容器や、飲食用以外の容器に適用してもよい。
【符号の説明】
【００７０】
１０…ラベル基材、１２…表示部としての３Ｄポップ表示部、１２ａ…第１分割表示部、１２ｂ…第２分割表示部、１３ａ…第１切り込み、１３ｂ…第２切り込み、１４…首掛け表示具、１５…支持部。
【図１】
0005855833.tif 000002
【図２】
0005855833.tif 000003
【図３】
0005855833.tif 000004
【図４】
0005855833.tif 000005
【図５】
0005855833.tif 000006
【図６】
0005855833.tif 000007
【図７】
0005855833.tif 000008